(57)【要約】【課題】従来、広告付き名刺では、氏名、所属団体・企業等の名刺記載事項を印刷した表側に、その所属団体のホームページを示すＱＲコードを印刷していたが、名刺記載事項の情報の多さをあいまって名刺の表側が煩雑になった【解決手段】ホームページのアドレスは氏名、所属団体・企業等の名刺記載事項を表した表側にはＵＲＬで表示し、その裏側には名刺の作成費用の少なくとも一部を負担する広告主の広告を印刷し、即座に広告主のホームページをみることができるようにＱＲコードを印刷する。【選択図】図１
2008307811.tif 000002
【特許請求の範囲】
【請求項１】
一側に個人の氏名、前記個人の所属団体、前記個人の所属企業、前記個人の所属部署等を名刺に記載する電話番号、メールアドレス等の名刺記載事項を印刷し、他側に前記名刺を作成する費用の少なくとも一部を負担する広告主の広告を印刷し、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷する印刷手段を備えた名刺作成装置。
【請求項２】
一側に個人の氏名、前記個人の所属団体、前記個人の所属企業、前記個人の所属部署等を名刺に記載する電話番号、メールアドレス等の名刺記載事項を印刷するステップと、他側に前記名刺を作成する費用の少なくとも一部を負担する広告主の広告を印刷するステップと、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷するステップとを備えた名刺作成方法。
【請求項３】
一側に個人の氏名、前記個人の所属団体、前記個人の所属企業、前記個人の所属部署等を名刺に記載する電話番号、メールアドレス等の名刺記載事項を印刷し、他側に前記名刺を作成する費用の少なくとも一部を負担する広告主の広告を印刷し、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷した名刺。
【発明の詳細な説明】
【技術分野】
【０００１】
本発明は、ホームページのＵＲＬ及びＱＲコード、二次元コード等のコード情報を記載した広告付き名刺の名刺作成装置、名刺作成方法及び名刺に関する。
【背景技術】
【０００２】
名刺は表側に名刺を所持する個人の情報すなわち、所属組織、資格、趣味等を、文字、図、写真等によって表現する。一方裏面には、名刺の作成費用を一部負担してもらうために宣伝媒体として利用するスポンサーの広告を文字、図、写真等によって表現・印刷する。（例えば、特許文献１）。
【０００３】
また、広告の内容をすべて文字で表すことができないので、広告の内容を知るためにホームページにアクセス可能なＱＲコードを名刺に印刷することも提案されている（例えば特許文献２）。
【０００４】
【特許文献１】特開２００４−１０６４０６号公報
【特許文献２】特開２００５−１４１６５５号公報
【発明の開示】
【発明が解決しようとする課題】
【０００５】
以上に述べた特許文献１に示した広告付き名刺は表に名刺、裏面に広告を掲載するもので広告としてのインパクトも少ない。そこで広告の内容を示すためにホームページにアクセス可能なＱＲコードを印刷して、カメラ付き携帯電話、通信機能付きデジタルカメラで前記ＱＲコードを撮像してインターネットを介して広告を提供する広告主のサーバーに接続する公知例が特許文献２に示されている。しかし、名刺自体も名刺も個人の情報、即ち所属組織の広告の一つと考えられるので表面の名刺も裏面の広告も広告としての価値があるが、名刺の主な目的は名刺に記載されている人物を紹介するものである。そこで名刺の表側に企業のロゴ、所属部門、電話番号、ファックス番号、電子メールアドレス等の盛りだくさんの事項が記載されている。企業の宣伝として使用するためにＱＲコード等を載せることは名刺自体が煩雑になる危険性がある。
【０００６】
本発明は、このような従来の構成が有していた問題を解決しようとするものであり、名刺自体も本来の所有者の所属を示すものとして使い、また作成費用を削減するために広告も掲載して掲載費用として広告主に負担をして貰うことを目的とするものである。
【課題を解決するための手段】
【０００７】
本発明の請求項１は、一側に個人の氏名、前記個人の所属団体、前記個人の所属企業、前記個人の所属部署等を名刺に記載する電話番号、メールアドレス等の名刺記載事項を印刷し、他側に前記名刺を作成する費用の少なくとも一部を負担する広告主の広告を印刷し、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷する印刷手段を備えた名刺作成装置を提供することにある。
【０００８】
本発明の請求項２は、一側に個人の氏名、前記個人の所属団体、前記個人の所属企業、前記個人の所属部署等を名刺に記載する電話番号、メールアドレス等の名刺記載事項を印刷するステップと、他側に前記名刺を作成する費用の少なくとも一部を負担する広告主の広告を印刷するステップと、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷するステップとを備えた名刺作成方法を提供することにある。
【０００９】
本発明の請求項３は、一側に個人の氏名、前記個人の所属団体、前記個人の所属企業、前記個人の所属部署等を名刺に記載する電話番号、メールアドレス等の名刺記載事項を印刷し、他側に前記名刺を作成する費用の少なくとも一部を負担する広告主の広告を印刷し、前記一側に前記個人、前記所属団体、前記所属企業、前記所属部署等のホームページのＵＲＬを、前記他側に前記広告主のホームページに接続可能なＱＲコード、二次元コード等の画像で示す画像コード情報を印刷した名刺を提供することにある。
【発明の効果】
【００１０】
上述したように本発明の名刺作成装置、名刺作成方法及び名刺において名刺記載事項を記載した側、例えば表側にはホームページのＵＲＬを、名刺記載事項ともに印刷し、裏側には名刺の印刷費用の少なくとも一部を負担する広告主の広告と共に、広告の詳細を示すＱＲコード、二次元コード等の画像コード情報を印刷するので、名刺本来の名刺に記載された人物を紹介する側には例えば企業または団体のロゴ、所属企業または団体所属部門、電話番号、ファックス番号、メールアドレスを、さらに企業の詳細な内容を示すホームページの紹介はＱＲコード、二次元コード等の画像コード情報でなくてホームページアドレス（ＵＲＬ）の文字情報を印刷するので、名刺記載事項の記載された表側の見栄えの悪さを避けることができる。また、名刺は手渡しされるのが普通であり、その企業についての情報はあらかじめ入手するとか、また、持ち帰ってＵＲＬを入力してパソコン上で確認できるし、企業のホームページを即座に見る必要はない場合が多い。また、表側にはＱＲコード等の二次元コードが印刷されていないので、ＱＲコード等の二次元コードが印刷された場合よりも、名刺の表面の名刺を受取った側も貰ったときの圧迫感がなくなる効果を有する。
【００１１】
また、裏面には名刺の印刷代を負担した広告主の広告があり、これは名刺を渡してくれた人物の企業とは異なるので、受取った側は広告主の情報が少ない場合が多いので、広告の詳細な内容をその場でカメラ付き携帯電話、通信機能付きデジタルカメラで撮像し、インターネットを介して知ることができる効果を有する。そうしてもらうことにより、広告主は名刺作成費用の少なくとも一部を負担したのでその効果を享受できる。
【発明を実施するための最良の形態】
【００１２】
以下、本発明の実施の形態を図１〜図４に基づいて説明する。
【００１３】
図１において、１は名刺の表面で、２は企業名、３は役職名、４は氏名、５は企業名２の企業のホームページのＵＲＬを示す。
【００１４】
図２はその裏面で、６は名刺の裏面を示し、７は広告、８は広告７の広告主のホームページにアクセス可能なＱＲコードを示し、９で示すカメラ付き携帯電話、通信機能付きデジタルカメラでＱＲコードを撮像し、インターネット１０を介して●●電鉄のホームページ１１にアクセスする。●●電鉄のホームページで詳細に広告の内容をカメラ付き携帯電話、通信機能付きデジタルカメラのモニタでみることができる。
【００１５】
図３は本発明の概要を示すブロック図である。
２１は制御装置で、氏名、所属企業等の名刺記載事項情報２２を入力すると、制御装置２１により、ホームページは名刺記載事項情報２２が入力された側には２４で示すＵＲＬを、広告情報２２が入力された側に２５で示すＱＲコードを出力する。
【００１６】
図４は本発明の概要を示すフローチャートを示す。
ホームページのアドレスをどこに入力するかに関し、Ｓ１で名刺の表側か裏側かを判別し、表側のときに、Ｓ２で示すように氏名、所属団体・企業等の名刺記載事項を、裏側のときにはＳ３で示すように広告を印刷し、さらにホームページのアドレスは名刺記載事項を印刷した側にはＳ４で示すようにＵＲＬを、広告を印刷した側にはＳ５で示すように広告主のＱＲコードを印刷する。
【００１７】
以上説明したように、名刺の一側、例えば表側には氏名、所属企業、所属部署、所属企業の場所、電話番号、ファックス。メールアドレス等の数多くの情報をもつ名刺記載事項を印刷し、ホームページのアドレスはＵＲＬを印刷するので、ＱＲコード、二次元コード等のコード情報の場合に比べて見栄えがよく、煩雑ではない。裏面には名刺作成費用の少なくとも一部を負担する広告主の広告を印刷し、その広告の詳細を即座にカメラ付き携帯電話または通信機能付きデジタルカメラで撮像し、その情報をインターネットを介してサーバーに伝送し、サーバーに記憶された団体・企業情報を知ることが出来る。名刺の表側に記載された企業については、事前に団体・企業の情報を入手していることが多く、また名刺交換等を行っているので即座にその詳細な内容を知る必要がない場合が多い。
【図面の簡単な説明】
【００１８】
【図１】本発明の名刺の表側
【図２】本発明の名刺の裏側とＱＲコード読取りを行った図
【図３】本発明の概要を示すブロック図
【図４】本発明の概要を示すフローチャート図
【符号の説明】
【００１９】
１      名刺の表側
５      ホームページのＵＲＬ
６      名刺の裏側
８      ＱＲコード
１０    インターネット
【図１】
2008307811.tif 000003
【図２】
2008307811.tif 000004
【図３】
2008307811.tif 000005
【図４】
2008307811.tif 000006